(57)【特許請求の範囲】
【請求項１】
インターネットに接続可能な端末であるクライアント及び前記クライアントからの要求により該当する商品の広告をネット上で紹介提供する多数の参加企業のホームページが保管されたバナーサーバーと連携する店舗サーバーであって、
前記バナーサーバーが提供する広告画像情報を予め分類仕分けして、カテゴリーとそれに属するアイテムを体系的に保管記憶した商品マスタを備え、
前記クライアントからのアクセスに基づき、前記バナーサーバーのアイコンを含む当該店舗サーバーのホームページを当該クライアントのディスプレイ上に表示すると共に、
表示された前記ホームページにおいて所定のバナーサーバーのアイコンが前記クライアントによってクリックされると前記クライアントのディスプレイ上に当該クライアントがクリックしたバナーサーバーから提供された前記広告画像情報を主表示すると共に、各商品マスタから当該広告画像情報を表示した同一画面上に関連商品の他のバナーサーバーの広告画像情報の一覧表リストを副表示して両者を併記し、
前記副表示されたバナーサーバーのアイコンが前記クライアントによってクリックされると、当該クリックされたアイコンのバナーサーバーから提供された前記広告画像情報を主表示し、且つ同一画面上に関連商品の他のバナーサーバーの広告画像情報の一覧表リストを副表示することにより、
該当する広告以外の商品リストを次々と閲覧可能にすることを特徴とする店舗サーバー。
【請求項２】
前記商品マスタは、前記バナーサーバーが提供する前記各企業の広告画像情報を予め分類仕分けして保管記憶していることを特徴とする請求項１記載の店舗サーバー。
【請求項３】
前記商品マスタは、前記各企業のカテゴリーとそれに属するアイテムを体系的に記憶したことを特徴とする請求項２記載の店舗サーバー。
【請求項４】
インターネットに接続可能な端末であるクライアント及び前記クライアントからの要求により該当する商品の広告をネット上で紹介提供する多数の参加企業のホームページが保管されたバナーサーバーと連携し、前記バナーサーバーが提供する広告画像情報を予め分類仕分けして、カテゴリーとそれに属するアイテムを体系的に保管記憶した商品マスタを備えた店舗サーバーにおいて、
前記クライアントからのアクセスに基づき、前記バナーサーバーのアイコンを含む当該店舗サーバーのホームページを当該クライアントのディスプレイ上に表示し、
表示された前記ホームページにおいて所定のバナーサーバーのアイコンが前記クライアントによってクリックされると前記クライアントのディスプレイ上に当該クライアントがクリックしたバナーサーバーから提供された前記広告画像情報を主表示し、
同時に、各商品マスタから当該広告画像情報を表示した同一画面上に関連商品の他のバナーサーバーの広告画像情報の一覧表リストを副表示して両者を併記し、
前記副表示されたバナーサーバーのアイコンが前記クライアントによってクリックされると、当該クリックされたアイコンのバナーサーバーから提供された前記広告画像情報を主表示し、
且つ同一画面上に関連商品の他のバナーサーバーの広告画像情報の一覧表リストを副表示する、ことを特徴とする店舗サーバーにおける閲覧方法。
【発明の詳細な説明】
【技術分野】
【０００１】
この発明は、インターネットによって商品の購入をするクライアントに対する広告リストを提供する店舗サーバーに関する。
【背景技術】
【０００２】
広告媒体として昨今はインターネットを利用するクライアントが多くなってきており、そのために広告を提供するサーバーが増えている。その一つとして一般的にバナーサーバーによる商品広告が知られている。このバナー広告は、サイトへの導入ポイントとしての機能を持ち、情報量が少ない。しかし、低価格でディスプレイ上に掲載可能にしてクリック保証がされているが、ワンクリック単価（ユーザーの導入）が高価であった。また、ターゲットを限定できるメールマガジンにあっては、ディスプレイ上に掲載できる情報量の制限があり、ワンクリック単価がやはり高価であった。
【発明の概要】
【発明が解決しようとする課題】
【０００３】
この発明は、ワンクリック単価の低い広告システムを提供するものである。また、この発明の課題は、クライアントの購買力を高め、一回のクリックによって数多くのバナーサーバーの商品広告をクライアントが閲覧可能にする店舗サーバーを提供することである。
【課題を解決するための手段】
【０００４】
請求項１記載の発明では、インターネットに接続可能な端末であるクライアント及び前記クライアントからの要求により該当する商品の広告をネット上で紹介提供する多数の参加企業のホームページが保管されたバナーサーバーと連携する店舗サーバーであって、前記バナーサーバーが提供する広告画像情報を予め分類仕分けして、カテゴリーとそれに属するアイテムを体系的に保管記憶した商品マスタを備え、前記クライアントからのアクセスに基づき、前記バナーサーバーのアイコンを含む当該店舗サーバーのホームページを当該クライアントのディスプレイ上に表示すると共に、表示された前記ホームページにおいて所定のバナーサーバーのアイコンが前記クライアントによってクリックされると前記クライアントのディスプレイ上に当該クライアントがクリックしたバナーサーバーから提供された前記広告画像情報を主表示すると共に、各商品マスタから当該広告画像情報を表示した同一画面上に関連商品の他のバナーサーバーの広告画像情報の一覧表リストを副表示して両者を併記し、前記副表示されたバナーサーバーのアイコンが前記クライアントによってクリックされると、当該クリックされたアイコンのバナーサーバーから提供された前記広告画像情報を主表示し、且つ同一画面上に関連商品の他のバナーサーバーの広告画像情報の一覧表リストを副表示することにより、該当する広告以外の商品リストを次々と閲覧可能にすることを特徴とする店舗サーバーを提供する。
請求項２記載の発明では、前記商品マスタは、前記バナーサーバーが提供する前記各企業の広告画像情報を予め分類仕分けして保管記憶していることを特徴とする請求項１記載の店舗サーバーを提供する。
請求項３記載の発明では、前記商品マスタは、前記各企業のカテゴリーとそれに属するアイテムを体系的に記憶したことを特徴とする請求項２記載の店舗サーバーを提供する。
請求項４記載の発明では、インターネットに接続可能な端末であるクライアント及び前記クライアントからの要求により該当する商品の広告をネット上で紹介提供する多数の参加企業のホームページが保管されたバナーサーバーと連携し、前記バナーサーバーが提供する広告画像情報を予め分類仕分けして、カテゴリーとそれに属するアイテムを体系的に保管記憶した商品マスタを備えた店舗サーバーにおいて、前記クライアントからのアクセスに基づき、前記バナーサーバーのアイコンを含む当該店舗サーバーのホームページを当該クライアントのディスプレイ上に表示し、表示された前記ホームページにおいて所定のバナーサーバーのアイコンが前記クライアントによってクリックされると前記クライアントのディスプレイ上に当該クライアントがクリックしたバナーサーバーから提供された前記広告画像情報を主表示し、同時に、各商品マスタから当該広告画像情報を表示した同一画面上に関連商品の他のバナーサーバーの広告画像情報の一覧表リストを副表示して両者を併記し、前記副表示されたバナーサーバーのアイコンが前記クライアントによってクリックされると、当該クリックされたアイコンのバナーサーバーから提供された前記広告画像情報を主表示し、且つ同一画面上に関連商品の他のバナーサーバーの広告画像情報の一覧表リストを副表示する、ことを特徴とする店舗サーバーにおける閲覧方法を提供する。
【発明の効果】
【０００７】
この発明の店舗サーバーは、店舗サーバーのコンピュータによる情報の保管管理によりクライアントの要望に応じた的確な商品を提供することができる。
【図面の簡単な説明】
【０００８】
【図１】この発明のネット広告システムの実施の形態の概要を示す図である。
【図２】この発明のネット広告システムの実施の形態の概略説明図である。
【図３】この発明のネット広告システムと従来の広告システムとの広告効果の比較グラフである。
【発明を実施するための形態】
【０００９】
以下この発明のネット広告システムを図面に示す実施の形態において説明する。図１はこの発明のネット広告システムの１実施の形態の概要を示す図である。図２はこの発明の実施の形態の概略説明図である。図３はこの発明のネット広告システムと従来の広告システムとの比較グラフである。
【００１０】
この発明のネット広告システムを図面に基づいて説明する。需要者である複数のクライアント３，３・・の端末が主サーバー５を介して接続可能な店舗サーバー１（ターミナル）には複数のバナーサーバー２，２・・が連結してある。このバナーサーバー２，２・・には多数の参加企業が格納登録され、それぞれの参加企業のホームページが保管されている。各バナーサーバー２は通常はクライアント３の希望する商品のクリックにより該当商品の企業のホームページまたは商品広告をディスプレイに送信して提供する。
【００１１】
他方、前記店舗サーバー１はバナー情報マスタ６、商品マスタ７、同時購入確率ファイル８、クライアント履歴ファイル９等が記憶保管してあり、常時新しい情報を保管管理し、分類仕分けしてある。このバナー情報マスタ６は各アイテム毎にアイテム名やアイテムコード等が記載されたマスタであり、商品マスタ７は店舗が運営している各企業のすべての企業についてのカテゴリー名とカテゴリーコード、及びそれに属するアイテム名とアイテムコードが体系的に記載されたマスタである。
【００１２】
同時購買確率ファイル８はクライアント３が選択した各アイテム毎に同時に購買されるアイテムが含まれるカテゴリーの確率が示されるファイルである。クライアント履歴ファイル９はクライアント３毎のクライアント３が購入した履歴（購買日、端末のアドレスＮｏ、アイテムコード）が保管記憶されたファイルである。このような連携システムにおいてクライアント３の端末と店舗サーバー１とはインターネット４網によって連結してあり、クライアント３は主サーバー５を介在してもよい。
【００１３】
この発明のネット広告システムについて説明する。まず、クライアント３は前記バナーサーバー２をクリックすることなく、店舗サーバー１のアイコンをクリックすると、店舗サーバー１のホームページが表れ、このホームページからクライアント３の希望するバナーサーバー２の企業のアイコンをクリックする。該当するＡ社の広告がクライアント３のディスプレイ上に画像表示される。
【００１４】
このクライアント３のディスプレイ上には図２で示されるようにＡ社の広告を主表示するとともにこのディスプレイ上には他のバナーサーバー２の企業リストが併記され、副表示される。従って、クライアント３がＡ社の商品が希望に合わない時に副表示されている他のバナーサーバー２の企業をアイコンでクリックすることによりそのホームページを閲覧することができる。
【００１５】
このように次々に関連商品の企業のホームページを簡易に選択することができるからクライアント３の一回のクリックにより、多数の企業リストを閲覧が可能となるのでクライアント３の希望する商品の購買する確率を高めることができる。
【００１６】
この発明は、クライアントの一回のクリックにより多数の企業のホームページを閲覧するから図３に示されるようにクリック回数が少なく情報量が多くなりワンクリック単価が低くなる。
【符号の説明】
【００１７】
１  店舗サーバー
２  バナーサーバー
３  クライアント
４  インターネット
５  主サーバー
６  バナー情報マスタ
７  商品マスタ
８  同時購買確率ファイル
９  クライアント履歴ファイル
【図１】
0005400973.tif 000002
【図２】
0005400973.tif 000003
【図３】
0005400973.tif 000004